(57)【要約】【課題】デザイン上の制約を低減し、設計の自由度を高める。【解決手段】本発明に係る電気錠システムは、扉１の壁面２に設けられるハンドル部品３と、ハンドル部品３に設けられるシリンダ錠１５と、シリンダ錠１５を含めてハンドル部品３全体を覆うように一体に形成されるカバー４０と、ハンドル部品３に対してカバー４０を着脱自在に支持する着脱機構５１，５２と、ハンドル部品３に設けられた操作機構２０の操作により扉１の木口から退避するラッチボルトと、施解錠操作装置から送られた信号に基づいて電気的に駆動されるデッドボルトと、を備えていることを特徴とする。【選択図】図２
2014190051.tif 000002
【特許請求の範囲】
【請求項１】
扉の壁面に設けられるハンドル部品と、
該ハンドル部品に設けられるシリンダ錠と、
該シリンダ錠を含めて前記ハンドル部品全体を覆うように一体に形成されるカバーと、
前記ハンドル部品に対して前記カバーを着脱自在に支持する着脱機構と、
前記ハンドル部品に設けられた操作機構の操作により前記扉の木口から退避するラッチボルトと、
施解錠操作装置から送られた信号に基づいて電気的に駆動されるデッドボルトと、
を備えていることを特徴とする電気錠システム。
【請求項２】
前記ハンドル部品は、前記扉との間に所定の空間を形成するように上下両端部が前記扉に取り付けられるグリップを備え、前記シリンダ錠は、前記ハンドル部品の上端部又は下端部の少なくともいずれかに設けられており、前記カバーは前記グリップと前記シリンダ錠とを覆うように一体に形成されていることを特徴とする請求項１に記載の電気錠システム。
【請求項３】
前記操作機構は、前記グリップに回動可能に支持される操作レバーを備え、該操作レバーを回動させることで前記ラッチボルトを前記扉の木口から退避させるように構成されていることを特徴とする請求項１又は２に記載の電気錠システム。
【請求項４】
前記操作機構は、前記扉の壁面に対して前記グリップを近接又は離間する方向に平行移動させることで前記ラッチボルトを前記扉の木口から退避させるように構成されていることを特徴とする請求項１又は２に記載の電気錠システム。
【請求項５】
前記操作機構は、前記グリップの上下いずれか一方の端部を支点として該グリップの他方の端部を前記扉の壁面に対して近接又は離間する方向に回動させることで前記ラッチボルトを前記扉の木口から退避させるように構成されていることを特徴とする請求項１又は２に記載の電気錠システム。
【請求項６】
前記着脱機構は、前記ハンドル部品の少なくとも上下いずれか一方の端部に設けられ、前記カバーから外部に露出するように設けられる操作部材と、該操作部材に作用される外力により前記カバーの少なくとも上下いずれか一方の端部に係止するロック位置と該端部から離間するロック解除位置との間で移動するように設けられるロック部材と、を備えていることを特徴とする請求項１〜５のいずれか１の請求項に記載の電気錠システム。
【請求項７】
前記着脱機構は、前記カバーの略中央部に係止可能な中央係止部をさらに備えていることを特徴とする請求項６に記載の電気錠システム。
【請求項８】
前記操作部材は、前記カバーの側部から外部に露出し、外部からの押圧により側方にスライド可能に設けられ、
前記ロック部材は、一端部が前記カバーの少なくとも上下いずれか一方の端部に係止可能且つ他端部が前記操作部材に係合可能なように前後方向に回転可能に設けられ、
前記一端部が前記カバーの少なくとも上下いずれか一方の端部に係止する回転方向に付勢されることにより前記ロック部材の前記ロック位置が保持され、前記操作部材が側方にスライドして前記他端部に係合することにより、前記ロック部材が付勢力に抗して前記ロック位置から前記ロック解除位置に回転することを特徴とする請求項６又は７に記載の電気錠システム。
【発明の詳細な説明】
【技術分野】
【０００１】
本発明は、扉の木口に対して進退可能なデッドボルトを電気的に駆動させて施解錠制御する電気錠システムに関するものである。
【背景技術】
【０００２】
オフィスビル等の商業施設や公共施設の出入口、集合住宅や一般住宅のエントランスや玄関等の扉において、デッドボルトを解錠させた状態で扉の閉止状態（仮締まり状態）を保持するための錠構造としてラッチ錠が公知であり、このラッチ錠の操作性の向上を目的として、所謂プッシュプル錠が使用されている。このプッシュプル錠は、縦長のグリップの上下端部を、台座を介して扉の壁面に可動自在に取り付け、例えば、外開き扉の場合、室内側のグリップを押す方向に移動させ、或いは、室外側のグリップを引く方向に移動させることで、扉を開放させるものである（例えば、特許文献１又は２参照）。
【０００３】
一方、この種のプッシュプル錠において、近年、セキュリティの向上や操作性の向上を目的として、ＩＣカードやタグ、キー等をリーダにかざすことにより、デッドボルトを電気的に駆動させて施解錠制御する電気錠システムの設置の要求が増加している（例えば、特許文献３参照）。
【０００４】
このプッシュプルタイプの電気錠システムでは、電気錠が正常に解錠動作しない等の非常時でも解錠させることができるように、グリップの上下端部の台座部分にシリンダ錠が設けられている。
【先行技術文献】
【特許文献】
【０００５】
【特許文献１】特開２０１２−１９７５８５号公報の図１
【特許文献２】特開２０１０−１５９６１３号公報
【特許文献３】特開２００９−２７０３０７号公報
【発明の概要】
【発明が解決しようとする課題】
【０００６】
しかしながら、上記した従来のプッシュプルタイプの電気錠システムでは、グリップが台座を介して扉の壁面に可動自在に取り付けられているため、特許文献１又は２に示されているように、グリップと台座との間の扉正面から見える位置に切れ目を設ける必要がある。そのため、グリップの周辺部分のデザインが制約されてしまい、設計の自由度を高めることが難しいといった問題がある。
【０００７】
また、グリップと台座との間にそのような切れ目を設けるのを避けるため、グリップの上下端部で台座を覆うようにグリップを取り付けることも行われているが、この場合には、グリップの上下端部にシリンダ錠を操作するための開口を設ける必要がある。したがって、この場合であっても、依然として、グリップの周辺部分のデザインが制約されてしまい、設計の自由度を高めることが難しいという問題の根本的な解決にはならない。
【０００８】
本発明は、上記した課題を解決すべくなされたものであり、デザイン上の制約を低減し、設計の自由度を高めることのできる電気錠システムを提供することを目的とするものである。
【課題を解決するための手段】
【０００９】
上記した目的を達成するため、本発明に係る電気錠システムは、扉の壁面に設けられるハンドル部品と、該ハンドル部品に設けられるシリンダ錠と、該シリンダ錠を含めて前記ハンドル部品全体を覆うように一体に形成されるカバーと、前記ハンドル部品に対して前記カバーを着脱自在に支持する着脱機構と、前記ハンドル部品に設けられた操作機構の操作により前記扉の木口から退避するラッチボルトと、施解錠操作装置から送られた信号に基づいて電気的に駆動されるデッドボルトと、を備えていることを特徴とする。
【００１０】
この特徴によれば、扉の壁面に設けられたハンドル部品全体を覆うように前記カバーが一体に形成されており、前記ハンドル部品の表面側に部品間の切れ目等が現れることがないため、ハンドル部品の周辺部分のデザインが制約されることがなく、設計の自由度を高めることができる。
【００１１】
また、本発明に係る電気錠システムにおいて、前記ハンドル部品は、前記扉との間に所定の空間を形成するように上下両端部が前記扉に取り付けられるグリップを備え、前記シリンダ錠は、前記ハンドル部品の上端部又は下端部の少なくともいずれかに設けられており、前記カバーは前記グリップと前記シリンダ錠とを覆うように一体に形成されていることを特徴とする。
【００１２】
この特徴によれば、前記グリップと前記シリンダ錠とを覆うように前記カバーが一体に形成されているため、ハンドル部品の周辺部分のデザインが制約されることがなく、設計の自由度を高めることができる。
【００１３】
また、本発明に係る電気錠システムにおいて、前記操作機構は、前記グリップに回動可能に支持される操作レバーを備え、該操作レバーを回動させることで前記ラッチボルトを前記扉の木口から退避させるように構成されていることを特徴とする。
【００１４】
この特徴によれば、前記グリップに回動可能に支持される操作レバーを備えたタイプのハンドル部品においても、前記ハンドル部品全体を覆うように前記カバーが一体に形成されているため、ハンドル部品の周辺部分のデザインが制約されることがなく、設計の自由度を高めることができる。
【００１５】
また、本発明に係る電気錠システムにおいて、前記操作機構は、前記扉の壁面に対して前記グリップを近接又は離間する方向に平行移動させることで前記ラッチボルトを前記扉の木口から退避させるように構成されていることを特徴とする。
【００１６】
この特徴によれば、扉の壁面に対して前記グリップを近接又は離間する方向に平行移動させるタイプのハンドル部品においても、前記ハンドル部品全体を覆うように前記カバーが一体に形成されているため、ハンドル部品の周辺部分のデザインが制約されることがなく、設計の自由度を高めることができる。
【００１７】
また、本発明に係る電気錠システムにおいて、前記操作機構は、前記グリップの上下いずれか一方の端部を支点として該グリップの他方の端部を前記扉の壁面に対して近接又は離間する方向に回動させることで前記ラッチボルトを前記扉の木口から退避させるように構成されていることを特徴とする。
【００１８】
この特徴によれば、前記グリップの一方の端部を支点として該グリップの他方の端部を扉の壁面に対して近接又は離間する方向に回動させるタイプのハンドル部品においても、前記ハンドル部品全体を覆うように前記カバーが一体に形成されているため、ハンドル部品の周辺部分のデザインが制約されることがなく、設計の自由度を高めることができる。
【００１９】
また、本発明に係る電気錠システムにおいて、前記着脱機構は、前記ハンドル部品の少なくとも上下いずれか一方の端部に設けられ、前記カバーから外部に露出するように設けられる操作部材と、該操作部材に作用される外力により前記カバーの少なくとも上下いずれか一方の端部に係止するロック位置と該端部から離間するロック解除位置との間で移動するように設けられるロック部材と、を備えていることを特徴とする。
【００２０】
この特徴によれば、外部から前記操作部材を操作することにより前記ロック部材のロックを簡単に解除させることができるため、ハンドル部品に対するカバーの着脱作業の簡略化を図ることができる。
【００２１】
また、本発明に係る電気錠システムにおいて、前記着脱機構は、前記カバーの略中央部に係止可能な中央係止部をさらに備えていることを特徴とする。
【００２２】
この特徴によれば、前記カバーの上下端部だけでなく、カバーの略中央部においても、ハンドル部材にカバーを係止することができるため、カバーをハンドル部材によりしっかりと固定することができる。
【００２３】
また、本発明に係る電気錠システムにおいて、前記操作部材は、前記カバーの側部から外部に露出し、外部からの押圧により側方にスライド可能に設けられ、前記ロック部材は、一端部が前記カバーの少なくとも上下いずれか一方の端部に係止可能且つ他端部が前記操作部材に係合可能なように前後方向に回転可能に設けられ、前記一端部が前記カバーの少なくとも上下いずれか一方の端部に係止する回転方向に付勢されることにより前記ロック部材の前記ロック位置が保持され、前記操作部材が側方にスライドして前記他端部に係合することにより、前記ロック部材が付勢力に抗して前記ロック位置から前記ロック解除位置に回転することを特徴とする。
【００２４】
この特徴によれば、外部から前記操作部材を押圧操作して側方にスライドさせることにより前記ロック部材のロックを簡単に解除させることができるため、ハンドル部品に対するカバーの着脱作業の簡略化を一段と図ることができる。また、前記操作部材のカバーからの露出箇所が側部に配置されているため、操作性の向上を図ることができると共に、人目に付き難くデザイン性の向上を図ることができる。
【発明の効果】
【００２５】
本発明によれば、デザイン上の制約を低減し、設計の自由度を高めることができる等、種々の優れた効果を得ることができる。
【図面の簡単な説明】
【００２６】
【図１】本発明の第１の実施形態に係る電気錠システムを示す概略図である。
【図２】本発明の第１の実施形態に係る電気錠システムのハンドル部品にカバーを取り付けた状態を示す側断面図である。
【図３】本発明の第１の実施形態に係る電気錠システムのハンドル部品からカバーを取り外して上端部以外の部分を省略して示す正面図である。
【図４】本発明の第１の実施形態に係る電気錠システムの着脱機構のブラケットを示す斜視図である。
【図５】本発明の第１の実施形態に係る電気錠システムの着脱機構の操作部材を示す斜視図である。
【図６】本発明の第１の実施形態に係る電気錠システムの着脱機構のロック部材を示す側面図である。
【図７】本発明の第２の実施形態に係る電気錠システムのハンドル部品にカバーを取り付けた状態を示す側断面図である。
【図８】本発明の第３の実施形態に係る電気錠システムのハンドル部品にカバーを取り付けた状態を示す側断面図である。
【発明を実施するための形態】
【００２７】
以下、図面を参照しつつ、本発明の実施形態に係る電気錠システムについて説明する。なお、以下の説明では、本発明を外開きの室外側の扉に適用した場合について例示して説明し、便宜上、扉の開き方向を前方とし、左右の向きは室外側の扉に対して正面から見た向きを基準とする。
【００２８】
まず、図１〜図６により、本発明の第１の実施形態に係る電気錠システムについて説明する。ここで、図１は本発明の第１の実施形態に係る電気錠システムを示す概略図、図２は本発明の第１の実施形態に係る電気錠システムのハンドル部品にカバーを取り付けた状態を示す側断面図、図３は本発明の第１の実施形態に係る電気錠システムのハンドル部品からカバーを取り外して上端部以外の部分を省略して示す正面図、図４は本発明の第１の実施形態に係る電気錠システムの着脱機構のブラケットを示す斜視図、図５は本発明の第１の実施形態に係る電気錠システムの着脱機構の操作部材を示す斜視図、図６は本発明の第１の実施形態に係る電気錠システムの着脱機構のロック部材を示す側面図である。
【００２９】
図１に示されているように、本実施形態に係る電気錠システムは、扉１の室外側壁面２に固定されるハンドル部品３と、ハンドル部品３に近接した扉１の室外側壁面２に設置される施解錠操作装置４と、扉１の木口に対してラッチボルト５が進退可能に設けられるラッチ錠６と、施解錠操作装置４から送られる信号に基づいてデッドボルト７，８をそれぞれ駆動させる主電気錠９及び副電気錠１０と、扉１の内部に設けられる制御装置１１と、施解錠操作装置４と主電気錠９及び副電気錠１０と制御装置１１に電源を供給する電源供給装置１２と、を備えて概略構成されている。
【００３０】
以下、各構成部材について順番に説明する。なお、ラッチ錠６は、従来の公知な構成を有するものを使用しているため、ここでは詳細な説明を省略する。
【００３１】
図２に良く示されているように、ハンドル部品３は、扉１との間に所定の空間１３を形成するように扉１に固定されるグリップ１４と、ハンドル部品３の上端部及び下端部にそれぞれ取り付けられる非常用のシリンダ錠１５と、を備えて構成されている。
【００３２】
グリップ１４は、上下両端部に形成される固定部１６と、各固定部１６を連結するように上下方向に延びる連結部１７と、を備えている。上下の固定部１６はそれぞれネジ１８を介して扉１に固定されており、連結部１７は室外側に僅かに湾曲するように形成されている。
【００３３】
グリップ１４の背面側（後面側）には、上側の固定部１６からグリップ１４の上下方向中央よりやや下方に掛けて、操作レバー収容凹部１９が形成されており、操作レバー収容凹部１９に操作機構としての操作レバー２０が配設されている。
【００３４】
操作レバー２０は、上側の固定部１６に設けられた回転軸２１を中心として前後方向に回転可能に設けられ、回転軸２１の外周に巻回された捩りコイルバネ２２によって後方に付勢されている。操作レバー２０の上部にはラッチバー２３が固定されており、ラッチバー２３は、縦長形状のラッチバー側取付部２４と、このラッチバー側取付部２４の中央部から扉１内に挿入するように延設される横長形状の突起部２５と、により構成されている。
【００３５】
ハンドル部品３には、その全体を覆うようにカバー４０が着脱機構５０を介して着脱自在に取り付けられている。カバー４０は、グリップ１４の連結部１７の湾曲形状に沿って湾曲する前面部分４１と、グリップ１４の左右側面に沿ってそれぞれ形成される左右側面部分４２と、により形成され、グリップ１４と上下のシリンダ錠１５とを覆うように一体に形成されている。
【００３６】
カバー４０の上下端部には、それぞれ、壁面２に沿って背面側に屈曲する爪部４３が形成されている。また、カバー４０の背面側の略中央部には、フック部４４，４５が上下２箇所に形成されている。
【００３７】
着脱機構５０は、ハンドル部品３の上下端部であってシリンダ錠１５の上方及び下方の室外側壁面２にそれぞれ設けられる上下の着脱機構５１，５２と、ハンドル部品３の上下方向略中央に設けられる中央の着脱機構５３と、により構成されている。
【００３８】
図３に示されているように、上側の着脱機構５１は、グリップ１４の上端部に固定されるブラケット５４と、カバー４０の側部から外部に露出して外部からの押圧により側方にスライド可能に設けられる操作部材５５と、操作部材５５に作用される外力により前後方向に回転可能に設けられる左右一対のロック部材５６，５６と、を備えている。
【００３９】
図４に良く示されているように、ブラケット５４は、鉛直板状の後面５８と、後面５８の外縁部から前方に直角に屈曲して形成される前方延出片５９と、により構成されており、左右対称形状を有している。
【００４０】
後面５８は、アーチ状部分６０を介して右側部分６１と左側部分６２とが連結されて一体化された形状を有しており、アーチ状部分６０の上下はそれぞれ凹状に湾曲して形成されている。右側部分６１は、略中央に穿設された円形孔６３と、円形孔６３の左側に穿設された円形孔６３より小径の円形ザグリ孔６４と、円形孔６３の上方に形成された矩形状の挿通孔６５と、を備えている。そして、円形ザグリ孔６４に後方からネジ３９（図２及び図３参照）を挿通してグリップ１４の固定部１６に螺入することにより、ブラケット５４はグリップ１４に固定される。また、右側部分６１と同様に、左側部分６２は、円形孔６６、円形ザグリ孔６７、及び挿通孔６８を備えている。
【００４１】
前方延出片５９は、後面５９の右側部分６１及び左側部分６２に対応するように、右側前方延出部分６９と左側前方延出部分７０とを備えている。右側前方延出部分６９は、後面５９の右側部分６１の上下縁部から前方に直角に屈曲して形成される上部７１及び下部７２と、右側部分６１の左右縁部から前方に直角に屈曲して形成される左部７３及び右部７４と、を備えており、左部７３及び右部７４には、互いに対向する位置に円形の軸孔７５，７６がそれぞれ穿設されている。また、右側前方延出部分６９と同様に、左側前方延出部分７０は、上部７７、下部７８、左部７９、及び右部８０を備えており、左部７９及び右部８０にはそれぞれ軸孔８１，８２が穿設されている。
【００４２】
図５に良く示されているように、操作部材５５は、左右側方に延出した横木形状を成し、アーム部分８３を介して左側係合部分８４と右側係合部分８５とが連結されて一体化された形状を有している。左側係合部分８４と右側係合部分８５の各下面はブラケット５４の下部７２，７８に沿って左右にスライド可能なように形成されている。アーム部分８３は、シリンダ錠１５及びブラケット５４のアーチ状部分６０の形状に対応するように、下部が台形状に切欠されると共に上部が僅かに隆起した形状を有している。
【００４３】
左側係合部分８４の上部には左側切欠溝８６が形成されている。左側切欠溝８６は、前方が開放された左側のロック部８７と、前方が閉塞された右側のロック解除部８８と、を備えており、ロック部８７とロック解除部８８とは、後方右側に向かって傾斜する傾斜部８９を介して連通している。また、左側係合部分８４の左端にはストッパ部９０が前方に突出するように形成されており、ストッパ部９０は操作部材５５が必要以上に右方に移動するのを規制している。
【００４４】
右側係合部分８５の上部には右側切欠溝９１が形成されている。右側切欠溝９１は、前方が開放された左側のロック部９２と、前方が閉塞された右側のロック解除部９３と、を備えており、ロック部９２とロック解除部９３とは、後方右側に向かって傾斜する傾斜部９４を介して連通している。また、右側係合部分８５の右端には押圧部９５が前方に突出するように形成されている。
【００４５】
図６に良く示されているように、左右一対のロック部材５６は、同一の鳩形状を有しており、その胴部９６には左右方向に貫通する通孔９７が穿設されている。この通孔９７には軸部材９８（図２及び図３参照）が貫通し、軸部材９８の両端部はブラケット５４の軸孔７５，７６及び８１，８２を介してブラケット５４に支持されている（図４参照）。これにより、左右一対のロック部材５６は、ブラケット５４の左右部分において胴部９６の後端部９６ａをブラケット５４の円形孔６３，６６にそれぞれ遊嵌させた状態で、軸部材９８を中心として前後方向に回転可能に設けられている。
【００４６】
各ロック部材５６の一端部には、係止突部９９がそれぞれ形成されており、各係止突部９９はブラケット５４の挿通孔６５，６８（図４参照）を挿通してカバー４０の爪部４３（図２参照）に係止可能となっている。各ロック部材５６の他端部には、係合部１００がそれぞれ山型に形成されており、各係合部１００は操作部材５５の左右の各係合部分８４，８５（図５参照）に係合可能となっている。また、各ロック部材５６には、通孔９７と係合部１００の間に略円柱形状の溝部１０１が形成されており、この溝部１０１にロックバネ（図示省略）が収容されている。左右一対のロック部材５６は、このロックバネにより、係止突部９９が爪部４３に係止する方向に付勢されている。
【００４７】
下側の着脱機構５２は、上記した上側の着脱機構５１と同様の構成を有しているため、これらの構成の詳細な説明は省略するが、下側の着脱機構５２のブラケット５４、操作部材５５、及び左右一対のロック部材５６，５６は、上側の着脱機構５１の場合とは上下反対向きに取り付けられている。
【００４８】
中央の着脱機構５３は、図２に示されているように、グリップ１４の正面側略中央部の上下２箇所に形成された係止凹部１０３，１０４を備えており、各係止凹部１０３，１０４は、カバー４０側のフック部４４，４５にそれぞれ係止可能となっている。
【００４９】
再び、図１に戻ると、施解錠操作装置４は、例えば、FeliCa（登録商標）等の非接触型ＩＣカード、キーヘッド、タグや、指で接触するタッチキー、テンキー、指紋等の生体認証式等、各種タイプのリーダや、押しボタン式、静電容量式等、各種タイプのスイッチ等により構成されている。
【００５０】
主電気錠９は、ラッチ錠６の上方において扉１の内部に設けられており、扉１の木口に対して進退するようにデッドボルト７を駆動制御するモーターやソレノイド等の駆動機構を備えて構成されている。また、主電気錠９は、デッドボルト７を手動で操作可能なように、扉１の室内側にサムターン（図示省略）を備えていると共に扉１の室外側にシリンダ錠１５を備えている。
【００５１】
副電気錠１０は、ラッチ錠６の下方において扉１の内部に設けられており、扉１の木口に対して進退するようにデッドボルト８を駆動制御するモーターやソレノイド等の駆動手段（図示省略）を備えて構成されている。また、主電気錠９と同様に、副電気錠１０は、デッドボルト８を手動で操作可能なように、扉１の室内側にサムターン（図示省略）を備えていると共に扉１の室外側にシリンダ錠１５を備えている。
【００５２】
制御装置１１は、主電気錠１９の上方において扉１の内部に設けられており、ＣＰＵやＲＯＭ、ＲＡＭ等を有するマイクロコンピュータにより構成され、施解錠操作装置４からの認証情報が正しい認証情報であるか否かを判別する機能等を有している。
【００５３】
電源供給装置１２は、扉１の外部に配置されており、扉１の吊元に設置される通電金具３６や扉１の内部に配線される電源ケーブル３７を介して、施解錠操作装置４、主電気錠９、副電気錠１０、制御装置１１等、扉１に設置される電気錠システムを構成する各構成機器に電源を供給するようになっている。
【００５４】
次に、図１〜図６を参照しつつ、上記した構成を備えた本実施形態に係る電気錠システムの動作について説明する。
【００５５】
室外側からの入室者が、例えばFeliCa（登録商標）等の非接触型ＩＣカードを施解錠操作装置４にかざすと、施解錠操作装置４から認証情報が制御装置１１に送信され、制御装置１１では、受信した該認証情報が予め記憶されている特定の認証情報と合致するか否かが判別される。
【００５６】
この結果、前記受信した認証情報が前記特定の認証情報と合致していると制御装置１１によって判別されると、制御装置１１から主電気錠９に対して解錠信号が出力され、主電気錠９では、該解錠信号に基づき、前記駆動手段に対して駆動信号が出力されて解錠される。そして、主電気錠９が解錠されると、制御装置１１から副電気錠１０に対して解錠信号が出力され、副電気錠１０では、該解錠信号に基づき、前記駆動手段に対して駆動信号が出力され、副電気錠１０は主電気錠９と連動して解錠され、扉１は仮締まり状態となる。
【００５７】
これに対して、電気錠システムが上記したように正常に解錠動作しない等の非常時には、上下の着脱部材５１，５２において、各操作部材５５の押圧部９５を左方に押し込み、ハンドル部品３からカバー４０を取り外してシリンダ錠１５により解錠する。
【００５８】
以下、ハンドル部品３からカバー４０を取り外す時の各部品の動作について詳細に説明する。なお、下側の着脱部材５２の各部品は上側の着脱部材５１と上下反対向きに取り付けられているが、基本的な動作は同じであるため、以下の説明において、下側の着脱部材５２についての詳細な説明は省略する。
【００５９】
上側の着脱部材５１の押圧部９５を左方に押し込むと、操作部材５５はブラケット５４の下部７２，７８に沿って左方にスライドし、左右のロック部材５６の各係合部１００は、それぞれ、切欠溝８６，９１内においてロック部８７，９２から傾斜部８９，９４を介してロック解除部８８，９３に移動する。
【００６０】
この移動の間、切欠溝８６，９１の傾斜部８９，９４及びロック解除部８８，９３によって各ロック部材５６の係合部１００に対して後方への力が作用するため、各ロック部材５６の係止突部９９は軸部材９８を中心に下方に回転し、爪部４３から離間し、爪部４３と係止突部９９との間の係止状態は解除される。
【００６１】
また、下側の着脱部材５２においても、押圧部９５を作用に押し込むことにより、上側の着脱部材５１の場合と同様に、爪部４３と係止突部９９との間の係止状態が解除される。
【００６２】
次いで、このように上下の着脱部材５１，５２の爪部４３と係止突部９９との係止が解除された状態において、ハンドル部品３に対してカバー４０を僅かに下方に移動させると、中央の着脱機構５３において、各フック部４４，４５がそれぞれ係止凹部１０３，１０４から離間し、フック部４４，４５と係止凹部１０３，１０４との間の係止状態が解除される。これにより、カバー４０をハンドル部材３から取り外すことが可能となる。その後、上下のシリンダ錠１５に所定のキーを差し込んで回転させると、デッドボルト７，８は解錠され、扉１は仮締まり状態となる。
【００６３】
上記したように電気錠システムの正常な解錠動作によって、或いは、シリンダ錠１５によって、仮締まり状態となった扉１において、グリップ１４を把持して、操作レバー２０を前方に押圧操作すると、操作レバー２０が回転軸２１を中心に前方に回転し、ラッチバー２３の突起部２５が下方に移動する。これにより、ラッチボルト５が扉１の木口から退避可能となる。
【００６４】
なお、ハンドル部品３にカバー４０を取り付ける場合の各部品の動作については、上記した取り外す時の反対の動作が行われるため、詳細な説明は省略する。
【００６５】
また、上記した本発明の実施形態では、グリップ１４の背面側（後面側）に形成した操作レバー収容凹部１９に操作レバー２０を後方に付勢させた状態で設け、仮締まり状態となった扉１において、グリップ１４を把持して、操作レバー２０を前方に押圧操作すると、ラッチボルト５が扉１の木口から退避するように構成しているが、本発明はこの実施形態に限定されるものではない。
【００６６】
すなわち、例えば、特に図示しないが、グリップの正面側（前面側）に形成した操作レバー収容凹部に操作レバーを前方に付勢させた状態で設け、仮締まり状態となった扉１において、グリップを把持して、操作レバーを後方に押圧操作することによりラッチボルト５が扉１の木口から退避するように構成する等、各種変形が可能である。この変形例の場合、カバー４０に操作レバーの挿通可能な開口を形成させることは言う迄もない。
【００６７】
次に、図７を参照しつつ、本発明の第２の実施形態に係る電気錠システムについて説明する。ここで、図７は本発明の第２の実施形態に係る電気錠システムのハンドル部品にカバーを取り付けた状態を示す側断面図である。
【００６８】
本実施形態に係る電気錠システムは、操作機構として、扉１の壁面２に対して近接離間する方向に平行移動することでラッチボルト５を駆動させるハンドル部品１１０を備えている。
【００６９】
なお、本実施形態に係る電気錠システムは、ハンドル部品１１０の他、施解錠操作装置４、ラッチボルト５、ラッチ錠６、主電気錠９、副電気錠１０、制御装置１１、及び電源供給装置１２等の構成を備えているが、ハンドル部品１１０以外のこれらの構成は、上記した第１の実施形態と同様であるため、詳細な説明を省略する。
【００７０】
ハンドル部品１１０は、扉１の壁面２に所定間隔離間して固定される上下一対の台座部材１１１と、これらの台座部材１１１にそれぞれ同時に案内される上下の摺動腕１１２を有する中空棒状のグリップ１１３と、このグリップ１１３にそれぞれ内装される上下の同期杆１１４と、摺動腕１１２に揺動自在に設けられてグリップ１１３の水平動に連動して回動するラッチバー１１５と、台座部材１１１内に設けられてグリップ１１３を初期位置へ付勢する捩りコイルバネ１１６と、ハンドル部品３の上端部及び下端部にそれぞれ取り付けられる非常用のシリンダ錠１２２と、を備えて構成されている。
【００７１】
各同期杆１１４は、中央部側の対向端部が可動の連結ピン１１７で枢支されていると共に、中間部が台座部材１１１の突片状軸受け部１１８の固定軸１１９に軸支され、上下の端部が端部支軸１２０を介してグリップ１１３の上下部分に連結されている。
【００７２】
ハンドル部品１１０には、カバー１２１が着脱機構を介して着脱自在に取り付けられており、カバー１２１は、グリップ１１３と上下のシリンダ錠１２２とを覆うように一体に形成されている。また、カバー１２１の上下端部には、それぞれ、壁面２に沿って背面側に屈曲する爪部１２３が形成されている。
【００７３】
前記着脱機構は、ハンドル部品１１０の上下端部であってシリンダ錠１２２の上方及び下方の壁面２にそれぞれ設けられる上下の着脱機構５１，５２を備えている。なお、この着脱機構５１，５２は、上記した第１の実施形態のものと同一であるため、ここではその構成及び作用の詳細な説明を省略する。また、上記した第１の実施形態と同様に、カバー１２１の背面側の略中央部にフック部を形成すると共に、該フック部に係脱可能なように、ハンドル部品１１０の上下方向略中央に着脱機構を形成してもよい。
【００７４】
上記した構成を備えた本実施形態に係る電気錠システムにおいて、グリップ１１３をプッシュしない初期状態の場合には、同期杆１１４を連結する連結ピン１１７は、図７において実線で示すように、上下の端部支軸１２０よりも壁面２側に位置し、上下の同期杆１１４は、壁面側に若干傾倒している。
【００７５】
この状態で、グリップ１１３を壁面２に向かってプッシュ操作すると、同期杆１１４の上下部の連結ピン１１７が、壁面２から離間する方向へ移動し（図７の二点鎖線参照）、同期杆１１４は略垂直状態となる。この時、上下の摺動腕１１２は、台座部材１１１に同時に案内されながら、且つ、上下の捩りコイルバネ１１６のバネ力に抗して水平移動する。そして、ラッチバー１１５が下方に回転し、これにより、ラッチボルト５（図１参照）が扉１の木口から退避可能となる。
【００７６】
次に、図８を参照しつつ、本発明の第３の実施形態に係る電気錠システムについて説明する。ここで、図８は本発明の第３の実施形態に係る電気錠システムのハンドル部品にカバーを取り付けた状態を示す側断面図である。
【００７７】
本実施形態に係る電気錠システムは、操作機構として、下端部を支点として扉１の壁面２に対して上端部を近接又は離間する方向に回動させることでラッチボルト５を駆動させるハンドル部品１３０を備えている。
【００７８】
なお、本実施形態に係る電気錠システムは、ハンドル部品１３０の他、施解錠操作装置４、ラッチボルト５、ラッチ錠６、主電気錠９、副電気錠１０、制御装置１１、及び電源供給装置１２等の構成を備えているが、ハンドル部品１３０以外のこれらの構成は、上記した第１の実施形態と同様であるため、詳細な説明を省略する。
【００７９】
ハンドル部品１３０は、扉１の壁面２に所定間隔離間して固定される上下一対の台座１３１と、上下端部がこれらの台座１３１に取り付けられるグリップ１３２と、ハンドル部品１３０の上端部及び下端部にそれぞれ取り付けられる非常用のシリンダ錠１３３と、を備えて構成されている。
【００８０】
グリップ１３２の下端部は、軸部１３４を介して下側の台座１３１に枢支されている。上側の台座１３１には、グリップ１３２が軸部１３４を支点に回動可能に保持されている。
【００８１】
上側の台座１３１の内部には、ラッチバー１３６と一体形成されたリンク１３７が枢軸１３８を支点にして回動自在に枢支されている。グリップ１３２の上端部には、連結部１３５が形成され、この連結部１３５の先端部とリンク１３７の一端とがピン１４０で接続されている。
【００８２】
ハンドル部品１３０には、カバー１４１が着脱機構を介して着脱自在に取り付けられており、カバー１４１は、グリップ１３２と上下のシリンダ錠１３３とを覆うように一体に形成されている。また、カバー１４１の上下端部には、それぞれ、壁面２に沿って背面側に屈曲する爪部１４３が形成されている。
【００８３】
前記着脱機構は、ハンドル部品１３０の上下端部であってシリンダ錠１３３の上方及び下方の壁面２にそれぞれ設けられる上下の着脱機構５１，５２を備えている。なお、この着脱機構５１，５２は、上記した第１の実施形態のものと同一であるため、ここではその構成及び作用の詳細な説明を省略する。また、上記した第１の実施形態と同様に、カバー１４１の背面側の略中央部にフック部を形成すると共に、該フック部に係脱可能なように、ハンドル部品１３０の上下方向略中央に着脱機構を形成してもよい。
【００８４】
上記した構成を備えた本実施形態に係る電気錠システムにおいて、グリップ１３２を壁面２に対してプル操作すると、リンク１３７及びラッチバー１３６が枢軸１３８を支点に回転し、ラッチボルト５（図１参照）が扉１の木口から退避可能となる。
【００８５】
なお、上記した第１〜第３の実施形態では、ハンドル部品３，１１０，１３０の上下に着脱機構５１，５２が設けられているが、上下いずれか一方に着脱機構５１又は５２を設け、他方にはカバー４０，１２１，１４１の爪部４２，１２３，１４３が係止可能な係止部を設けてもよい。
【００８６】
さらに、上記した第１〜第３の実施形態の説明は、本発明に係る電気錠システムにおける好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００８７】
１      扉
２      壁面
３      ハンドル部品
４      施解錠操作装置
５      ラッチボルト
７，８  デッドボルト
１３    所定の空間
１４    グリップ
１５    シリンダ錠
２０    操作レバー（操作機構）
４０    カバー
５１，５２  着脱機構
５５    操作部材
５６    ロック部材
１０３，１０４  係止凹部（中央係止部）
１１０  ハンドル部品
１１３  グリップ
１２１  カバー
１２２  シリンダ錠
１３０  ハンドル部品
１３２  グリップ
１３３  シリンダ錠
１４１  カバー
【図１】
2014190051.tif 000003
【図２】
2014190051.tif 000004
【図３】
2014190051.tif 000005
【図４】
2014190051.tif 000006
【図５】
2014190051.tif 000007
【図６】
2014190051.tif 000008
【図７】
2014190051.tif 000009
【図８】
2014190051.tif 000010